(57)【要約】【課題】ブック原稿を直接読み取って、そのイメージ情報を自動的にファックス送信する。【解決手段】ファクシミリ装置は、ブック原稿を載せるための原稿読み取り面１９と、シート原稿を送るための自動給紙部９４ａ,９４ｂと、シート原稿またはブック原稿を読み取るための読取りヘッド２５とを備える。読取りヘッド２５は、原稿読み取り面１９上のブック原稿を読み取る場合には、原稿読取り面１９に沿って移動し、自動給紙部９４ａ,９４ｂにより送られるシート原稿を読み取る場合には、所定の位置に停止している。【選択図】図１０
2006027280.tif 000002
【特許請求の範囲】
【請求項１】
記録ライン幅に相当する幅を有するインクフィルムを巻いた第１のシャフ卜と、
該第１のシャフ卜に巻かれた前記インクフィルムを巻き取る第２のシャフ卜と、
該第１および第２のシャフト間に記録ヘッド当接用の開口を有し、両シャフトを回動可能に保持するハウジングと、
前記第１および第２のシャフ卜の対角の端部に設けた１対のシャフト駆動用ギヤとを備え、
前記第１のシャフトから第２のシャフトヘ巻き取ったフィルムを、同一の巻き取り機構で、逆に第２のシャフトから第１のシャフトへ巻き取り可能としたことを特徴とするインクフィルムカートリッジ。
【請求項２】
請求項１記載のインクフィルムカー卜リッジを用いるファクシミリ装置であって、
前記１対のシャフト駆動用ギヤの一方と歯合して前記インクフィルムを巻き取るギヤ駆動手段と、
前記１対のシャフト駆動用ギヤの他方と歯合して前記インクフィルムにバックテンションを与えるバックテンション付与手段とを備えたことを特徴とするファクシミリ装置。
【発明の詳細な説明】
【技術分野】
【０００１】
本発明は、ファクシミリ装置に関する。
【背景技術】
【０００２】
公衆回線等を介して、文書・図画をイメージデータとして伝送することができるファクシミリ装置は、現在、業務用に広く普及しているが、近年、各家庭内でも個人的に利用されるようになってきている。
【０００３】
ファクシミリ装置の標準的な構成は、機能的には、原稿送信のための原稿イメージ読取り部と、受信したイメージを記録するイメージ記録部と、送信相手先ファクシミリ番号の入力および通話のための電話器部とから成る。
【０００４】
図２に、従来の典型的なファクシミリ装置の外観を示す。
【０００５】
同図のファクシミリ装置において、原稿送信時には、原稿の送信面を裏向きにして原稿給紙トレイ２上に載置し、操作部６で相手先ファクシミリ番号を入力し、送信指示を行う。そこで、原稿が１枚だけ取り込まれて読取り用ラインセンサの上を通過し、原稿排紙トレイ４(図では内側に折りたたんであるが、使用時は措置側に開ける)の上に排出される。このようにして、順次１枚ずつ原稿イメージが送信されていく。
【０００６】
一方、受信時には、通常、自動的に動作して受信イメージを、内蔵の感熱ロール紙に感熱記録し、記録済用紙をカットして記録紙排紙トレイ８上に排出する。
【発明の開示】
【発明が解決しようとする課題】
【０００７】
上記従来のファクシミリ装置では、以下のような間題があった。
【０００８】
まず、送信時の原稿読取りに関して、送信原稿はシー卜状の用紙に限られ、ブック型原稿(すなわち本)のなかの一頁を直接送信するようなことはできなかった。その場合には、その頁を複写機で複写した後、その複写原稿をファクシミリ装置にかけるという手続きが必要であり、複写の手間と費用が無駄であった。
【０００９】
次に、受信のイメージ記録に関する問題として、受信イメージの記録に感熱ロール紙を用いるので、記録済用紙が経時的に変色しやすく長期保存に適さず、鉛筆による書込みが困難であった。また、ロール紙が終端に近づくにつれて、排出された用紙がカールし、取扱いが厄介であった。さらに、ロール紙は大サイズの用紙に合わせて幅広のものが用いられるため、通常サイズの原稿に対しては記録済用紙の側部に余白が生じ、保管あるいは複写等のためにその余白を切断する必要があり、この意味でも取扱いが不便であった。
【００１０】
さらに、ファクシミリ装置全体として、原稿給紙卜レイ２および記録紙排紙卜レイ８がファクシミリ本体から外部へ突出するため、本体の大きさの割に広い設置スペースを必要とするという問題もあった。
【００１１】
その他、操作部には通常必要のない操作キーも含めて多数の操作キー(操作スイッチ)が配置されており、業務用としてはまだしも、老人等の操作も考慮すべき家庭用としては必ずしも使い勝手のよいものではなかった。
【００１２】
したがって、本発明の目的は、ブック型の原稿のイメージを直接送信することができるファクシミリ装置を提供することにある。
【００１３】
本発明の他の目的は、受信イメージの記録紙の保管・取扱い等が便利なファクシミリ装置を提供することにある。
【００１４】
本発明のさらに他の目的は、省設置スペース化が図れるファクシミリ装置を提供することにある。
【００１５】
本発明の別の目的は、上記ファクシミリ装置に適した記録紙カセットおよびインクフィルムカートリッジを提供することにある。
【課題を解決するための手段】
【００１６】
上記目的を達成するために、本発明によるファクシミリ装置は、送信すべき原稿のイメージを読み取るイメージ読取り手段と、カット紙を保持するカセット本体およびホルダカバーよりなる記録紙カセットと、該記録紙カセットに保持されたカット紙に受信イメージを記録する記録手段とを備え、前記記録紙カセットのカセットカバーを、前記記録手段により記録された記録済カット紙の排紙卜レイとして利用するようにしたものである。
【００１７】
本発明によるファクシミリ装置は、他の見地によれば、送信すべき原縞のイメージを読み取るイメージ読取り手段と、カット紙を保持するカセット本体およびカセットカバーよりなる記録紙カセットと、該記録紙カセットに保持されたカット紙をＵターンして前記記録紙カセッ卜のカセットカバー上ヘ搬送する搬送手段と、該搬送手段の搬送途上に配置され、前記カット紙に受信イメージを記録する記録手段とを備えたものである。
【００１８】
この装置において、記録紙カセットはファクシミリ装置に設けた開口から内部にほぼ完全に格納され、前記記録済カット紙が前記排紙トレイに排出されたとき前記記録済カット紙が前記開口から若干はみ出すよう前記搬送手段の位置決めを行なうことが好ましい。この場合、さらに、前記記録済カッ卜紙の記録面が上向きに前記排紙卜レイ上に排出されるよう、前記記録手段を配設することが好ましい。
【００１９】
本発明によるファクシミリ装置は、さらに他の見地によれば、送信すべき原稿を載置する原稿読取り面と、該原稿読取り面上に載置された原稿を読み取るイメージ読取リ手段と、カット紙を保持する記録紙カセットと、該記録紙カセットに保持されたカット紙に受信イメージを記録する記録手段と、該記録手段により記録された記録済カッ卜紙を排出する排紙トレイとを備え、前記原稿読取り面と、前記記録紙カセットのカット紙載置面および前記排紙トレイのカット紙載置面とは略平行に位置し、かつ、前記記録紙カセットおよび排紙トレイの両カット紙載置領域を前記原稿読取り面に投影したとき、両カット紙載置領域の投影像が前記原稿読取り面上のカット紙載置領域と略重複するようにしたものである。
【００２０】
この装置において、記録紙カセットは、カット紙を保持するカセット本体およびカセットカバーよりなり、該カセットカバーを前記排紙トレイとして兼用することが好ましい。
【００２１】
本発明によるファクシミリ装置は、さらに他の見地によれば、送信すべき原稿を載置する原稿読取り面と、該原稿読取り面に沿って移動するラインセンサを有し、前記原稿読取り面上に載置された原稿を読み取るイメージ読取り手段と、一辺を回動軸として開閉し、前記原稿読取り面を覆う原稿カバーとを備えたものである。
【００２２】
この装置において、好ましくは、原稿カバーに、前記原稿読取り面の長手方向に平行な軸を中心として凸状に湾曲した外部表面形状を持たせる。
【００２３】
あるいは、前記原稿カバーの外部表面に原稿載置面を形成し、かつ、該原稿載置面上に載置した複数枚の原稿を１枚ずつ前記原稿読取り面の一端へ給紙する給紙手段を前記原稿カバーに設けることも可能である。
【００２４】
前記イメージ読取り手段のラインセンサは、前記給紙手段を動作させる際には、移動開始位置に固定状態とする。
【００２５】
前記原稿カバーを閉じたとき前記原稿カバーにより隠れる位置と隠れない位置とに、複数の操作スイッチを分散して配置するようにしてもよい。
【００２６】
前記記録紙カセットは、例えば、前記収納された記録紙の前端を押し上げる板状部材と、該押し上げる力に抗して押し下げた前記板状部材をロックするロック手段と、記録紙カセットのファクシミリ装置への完全装着に応じて前記ロック手段のロックを解除するロック解除手段とにより構成する。この場合、前記記録紙カセットの前端と、該前端に当接するファクシミリ装置本体部分との少なくとも一方に磁石を設け、他方に磁性体を設けることが好ましい。
【００２７】
本発明によるインクフィルムカー卜リッジは、記録ライン幅に相当する幅を有するインクフィルムを巻いた第１のシャフトと、該第１のシャフトに巻かれた前記インクフィルムを巻き取る第２のシャフトと、該第１および第２のシャフト間に記録ヘッド当接用の開口を有し、両シャフトを回動可能に保持するハウジングと、前記第１および第２のシャフ卜の対角の端部に設けた１対のシャフト駆動用ギヤとを備え、前記第１のシャフトから第２のシャフトヘ巻き取ったフィルムを、同一の巻き取り機構で、逆に第２のシャフ卜から第１のシャフトへ巻き取り可能としたものである。
【００２８】
このインクフィルムカートリッジを用いるファクシミリ装置では、好ましくは、前記１対のシャフト駆動用ギヤの一方と歯合して前記インクフィルムを巻き取るギヤ駆動手段と、前記１対のシャフト駆動用ギヤの他方と歯合して前記インクフィルムにバックテンションを与えるバックテンション付与手段とを設ける。
【００２９】
さらに、本発明による記録紙カセットは、イメージ記録用のカット紙を収納する記録紙カセットであって、バネ部材と、該バネ部材により前記収納された記録紙の前端を押し上げる板状部材と、前記バネ部材の弾力に抗して押し下げた前記板状部材をロックするロック手段と、該ロック手段のロック動作と連動して記録紙カセット挿入方向の前端に突出する突出部材と、該突出部材の押し戻しに応じて前記ロック手段のロックを解除するロック解除手段とを備えたものである。
【００３０】
まず、本発明のファクシミリ装置は、従来のファクシミリ装置と異なり、原稿読取り面を有し、その上に載置した原稿を移動させることなく、読取り手段が読み取る構成としたことにより、ブック型原稿を直接電送することが可能となった。
【００３１】
この構成に伴って原稿カバーを設けるが、この表面形状を凸状に湾曲させることにより、ブック型原稿の原稿押えに適した原稿カバーの機能および強度を得ることができる。
【００３２】
また、原稿カバーを閉めたときに、原稿カバーに隠される部分と隠されない部分とに操作スイッチを分散配置することにより、使い勝手が向上し、誤操作が減少する。
【００３３】
受信イメージを記録する記録紙としてカット紙を採用することにより、従来のロール紙の有するカール、切断必要性等の欠点が解消される。また、普通紙を採用することにより、経時変色が軽減され、また、鉛筆書込みも可能となる。
【００３４】
さらに、カット紙の記録紙を収納する記録紙カセットのカセットカバーを排紙トレイとして兼用することにより、物量および設置スペースを削減することができる。特に、記録紙カセットをファクシミリ装置本体内部に格納することにより、その効果は大となる。前述の原稿読取り購成と組み合わせれば原稿給紙トレイも不要になり、装置外部へ突出する部材が全くなくなり、設置スペース削減に有効である。電話器自体も既存のものを利用することにより電話器も不要となり、極めてコンパクトな構成のファクシミリ装置が得られる。
【００３５】
なお、原稿カバーに自動給紙機構を設ける場合も、原稿カバーを原稿載置台として利用することにより省スペース化が図れる。また、この場合、前記原稿読取り手段を静止させて用いることにより、先の構成によるブック型原稿読取り機能と本構成の自動給紙機能とを併有したファクシミリ装置を提供することも可能となる。
【発明の効果】
【００３６】
本発明のファクシミリ装置によれば、読取りヘッドを移動させることにより、ブック型の原稿のイメージを直接送信することができる。また、普通紙のカット紙に受信イメージを記録することにより、記録済用紙の保管・取扱い等が便利となる。さらに、装置から外部へ突出するトレイを不要とすることにより省設置スペース化が図れる。
【発明を実施するための最良の形態】
【００３７】
以下、本発明のファクシミリ装置の実施例について詳細に説明する。
【００３８】
まず、図１に本発明のファクシミリ装置の第１の実施例の外観の斜視図を示す。
【００３９】
同図に示すように、本実施例のファクシミリ装置は、送信原稿を覆う原稿カバー１１と、原稿読取り機構およびイメージ記録機構等を内蔵する本体上部１２と、記録紙カセット２０、記録紙搬送機構、インクフィルムカートリッジ等を内蔵する本体下部１３とからなる。
【００４０】
原稿カバー１１は、図３に示すように、本体上部１２の後部長辺部を回動軸として開閉し、その上部表面形状は、長手方向に平行な軸を中心として凸状に湾曲している。原稿は、送信面を裏向きにして原稿読取り面(ガラス)１９上に載置する。また、図４に示すように、厚みのあるブック原稿に対応できるように、回動軸近くに切目１０を設け、この切目１０で逆Ｌ字状に折れ曲がれるようになっている。原縞カバー１１の上部表面形状が前述のように湾曲しているので、ブック原稿に対して原稿カバー１１の上から使用者が中心部に圧力をかけたとき、原稿カバー１１が平坦な場合に比べ、圧力が全体により均等に分散する。また、原稿カバー１１に対して上部からかかる圧力に対する構造強度も増加する。
【００４１】
なお、本実施例では本体の長辺を装置の正面としたが、短辺を正面とする構成も考えられる。また、いずれを正面とするかに関わらず、原稿カバー１１の回動軸は、その短辺側に設けることもできる。
【００４２】
原稿カバー１１に覆われない本体１２の上面端部には、本実施例では、ファクシミリ送信指示(またはコピー指示)を行なうスタートスイッチ１７、送受信枚数等の表示部１６、ストップスイッチ１８、メモリ送信スイッチ１４、および受信/登録スイッチ１５を配置している。これらのスイッチは、通常、原稿カバーを締めた状態で操作するスイッチである。すなわち、メモリ送信スイッチ１４は、送信すべきイメージデータを一旦内蔵の記憶装置(図示せず)に格納した後、その記憶装置の内容を読出して送信するためのものである。受信/登録スイッチ１５は、外部からファクシミリ送信を電話器で受けたときに、ファクシミリ受信に切り替える際、または、ＯＣＲシートで相手先電話番号を読み取り、若しくは内部状態(例えば時計)の設定を行なう際に押下するスイッチである。ストップスイッチ１８は、送信を中断または停止するために押下するスイッチである。本実施例では、原稿カバー１１を閉じた送信操作時(またはコピー時)には、これらのスイッチ１４〜１８のみが視野に入り、従来のように多数の操作スイッチに惑わされる心配がない。その他のスイッチ、例えば、読取りの解像度、濃度、コピー時の拡大縮小率の設定用スイッチ等は、原稿カバー１１の下に配置している。
【００４３】
なお、原稿カバー１１の外に配置するスイッチの種類および個数は、そのファクシミリ装置の機種、機能等によって変わりうる。例えば、イメージデータの記憶装置を有さない機種ではメモリ送信のスイッチは存在しない。
【００４４】
受信イメージを記録する記録紙は普通紙のカット紙であり、記録紙カセット２０に複数枚格納される。この記録紙カセット２０は、その短部が本体下部１３の端面のほぼ面位置に一致するように、本体下部１３の側面に設けた開口２１に収納される。なお、この開口２１は、本実施例では本体下部１３の短辺側に設けたが、長辺側に設けてもよい。
【００４５】
本ファクシミリ装置には、受話器は設けておらず、既設の電話器を接続し、相手先番号の入力等はその電話機で行なうことができる。また、従来装置のような、外部に突出した原稿給紙トレイおよび記録紙排紙卜レイは存在しない。
【００４６】
図５に、本ファクシミリ装置の正面から見た内部構成を示す。
【００４７】
読取りヘッド２５としての読取り光学系は、本体上部１２の中で、通常、原稿読取り面１９の一端の下部に位置し、原稿をスキャンする際には読取りヘッド駆動手段２９の働きにより一定速度で原稿読取り面１９の下部に沿って他端へ向かって移動する。読取りヘッド２５を構成する読取り光学系は、発光素子としてのＬＥＤアレイ２７と、これにより照らされた原稿像を透過および反射するミラーおよびレンズと、これを経由して線状の像を結像するＣＣＤアレイ２８とからなる。読取りヘッド駆動手段２９は、読取りヘッド２７に結合された駆動ベルト３０、およびこのベルト３０を回転駆動する駆動モータ(図示せず)からなる。読取りヘッド２５は、図示の光学系に限るものではなく、公知の密着型のイメージセンサであってもよい。
【００４８】
原稿を送信する際には、まず、送信面を裏向きにして原稿載置面１９上に載置しておき、電話器で相手先番号を入力し相手側ファクシミリ装置との間で通信回線の接続を碓立する。そこで、スタートボタン１７(図１)を押すと、読取りヘッド２５がスキャンを開始し、読み取ったイメージ信号を順次通信回線へ送信する。その後、一定時間(例えば１２秒間)内に、次の原稿を載置してスタートボタン１７を再度押せば、回線が切れることなく続けて原稿の電送が行なえる。この時間内に読取りヘッド２５を初期位置に戻す作業が自動的に行なわれる。したがって、ブック型原稿の場合もその頁めくりはこの時間内に行なうことができる。原稿が１枚送信されるごとに表示部１６に表示される送信枚数がインクリメントされる。一定時間内に次のスター卜ボタンが押されなければ、あるいはその時間内であってもストップスイッチ１８が押されなければ、回線接続が切れる。
【００４９】
なお、前記一定時間内に、継続送信が可能であることを示す例えば「ピッピッ…」という催促音を鳴らして使用者に知らせるようにしてもよい。また、予め送信枚数を設定しておき、表示部１６ではその設定枚数から、順次、デクリメントしていき、''０''に達したとき回線接続を切断することも可能である。
【００５０】
その他、本体上部１２には、本体下部１３に向かって露出した記録ヘッド３２も内蔵する。本実施例では、熱転写型記録を採用しているので、この記録ヘッド３２サーマルヘッドである。
【００５１】
本体下部１３内には、交換のために着脱可能なインクフィルムカートリッジ３１を内包する。また、記録紙カセット２０から記録ヘッド３２へカット紙を供給し、記録紙カセッ卜２０の上部の空間３５に記録済用紙を排出する搬送手段を有する。この搬送手段は、各極ローラー、ギヤおよび駆動モータ(図示せず)からなる。
【００５２】
本体上部１２は、支点３４において、本体下部１３に対して回動可能に支持されており、カートリッジ３１の交換時およびその他の保守時に本体上部１２を上方へ開くことができる。
【００５３】
イメージ記録機構は、本実施例では熱転写式を採用したが、普通紙に記録できる記録方式であれば、例えばインクジェット式、ドットインパクト式等の他の方式のものであってもよい。
【００５４】
図６に、記録紙カセット２０の外観を示す。
【００５５】
記録紙カセット２０は、大別して、カット紙を収納するカセット本体６４とカセットカバー５２とからなる。カセットカバー５２は記録紙が記録後にその上に排出される排紙卜レイをも兼ねる。カセットカバー５２は記録紙取りだし方向に上向きに傾斜した傾斜部５１を有する。更に、カセッ卜カバー５２の表面には排紙方向に沿って伸びる幾本かの細い突条６１を有する。カセット２０の一端にはカセット本体６４の下部に凹部を形成した取手部６３を設け、この取手部６３と反対側には記録紙の前端を持ち上げるリフト用板状部材５６を設けている。カセット２０の前端には後述する突出材５８が突出している。さらに、カセット２０の前端の両側には２組の磁石５９を配設している。一方、ファクシミリ装置の本体下部１３には、記録紙カセット２０が完全に装着されたとき当接する位置に、この磁石５９と磁力で結合する磁性体(図示せず)を有する。なお、本体下部１３の方に磁石を設けてもよく、また、双方とも磁石であってもよい。
【００５６】
記録紙カセッ卜２０は、複数のサイズの記録紙に合わせて保持部等を変更し、あるいはサイズ毎に別個のカセットを用意することができる。
【００５７】
図７に記録紙カセット２０の要部の側面断面図を示す。
【００５８】
リフト用板状部材５６は、その後端が支点５３により回動可能に支持されており、下部に配設されたバネ５４により、常時、上方向へ付勢される力を受ける。リフト用板状部材５６はその下部にＬ字状の係合片５５を一体に有する。一方、前述した突出部材５８は、係合片５５の下方の位置に、係合片５５と係合する係合穴５７を有し、バネ６２により前方(カセットの挿入方向)へ付勢されている。係合穴５７のバネ６２側の壁面は、前方へ進むほど深くなるよう傾斜している。カセット２０内に記録紙が収納されて、リフト用板状部材５６が下方へ押し下げられると、係合片５５の先端が係合穴５７の斜面をスライドしながら、バネ６２の反発力に抗して突出部材６０を内側へ移動させていく。最終的に、係合片５５の先端部が係合穴５７を通過した時点で、突出部材６０が若干前進し、係合片５５の先端が突出片６０と係合する。これにより、リフト用板状部材５６が下側へロックされた状態となる。このようにして、記録紙が収納された記録紙カセット２０をファクシミリ本体開口に挿入し、完全に格納されると、突出部材５８の先端６０がファクシミリ本体に当接して押し戻される。これによって、係合片５５の係合状態が解除され、リフト用板状部材５６はバネ５４の力により上方へ持ち上げられる。この時点で、前述のように両者は磁力で吸引し合い、この状態は外力が働くまで保持される。このようにして、記録紙の枚数の多少に関わらず、最上部に位置する記録紙を記録紙搬送部へ供給することができる。
【００５９】
従来、プリンタ・複写機等においては、記録紙カセットが本体から外部へ突出した状態で装着され、てこの原理で記録紙先端部を持ち上げるものが知られているが、図１装置のようにカセッ卜の挿入口が狭く、かつカセット全体が完全に収納される本発明の場合には適用できない。また、装置内に板バネを設けておき、記録紙カセットを強く挿入して、カセット下部に設けた開口から前記板バネで押し上げるという構造のものも知られているが、カセット全体を装置内に収納する本発明の場合には強く挿入するのに支障がある。一方、本発明の構造では、カセッ卜挿入に強い力は要さず、かつ、確実に記録紙先端を持ち上げることが可能である。すなわち、本発明による記録紙カセットは図１のようなファクシミリ装置に最適である。
【００６０】
次に、図８を参照して、記録紙がカセット２０から取り出されて記録ヘッド３２で記録され、カセッ卜カバー５２上に排出されるまでの過程を説明する。
【００６１】
記録紙カセット２０に記録紙４８が収納されているか否かは記録紙有無センサ４９で検知される。記録紙が収納されていなければ、適当な方法で使用者に報知される。また、本体上部１２が上方へ開かれているときに動作しないように、本体上部１２を検知するセンサ３７を設けている。受信イメージの記録時あるいは原稿のコピー時に、記録紙はカセット２０から１枚の記録紙を、送りローラー６６でピックアップする。二重送りを避けるためにリフト用板状部材５６の先端にはゴム４７が付設されている。ピックアップされた記録紙は、先端にスポンジ４５を付設した記録紙押え４４で送りローラー６６に密着させられ、ガイド４１、４２により記録ヘッド３２の方向へ移送されていく。記録ヘッド３２の手前に設けた記録紙センサ４０により記録紙が記録ヘッド３２の直前に到着したことを検知し、記録のためのタイミングを取る。続いて、符号５０に示すように、記録紙は記録ヘッド３２とヘッドローラー６８との間を通過し、その間、イメージ信号に応じてインクフィルム３３のインクが記録紙表面に転写される。記録済用紙は、ガイド３９およびローラーの働きにより、排紙卜レイを兼ねたカセットカバー５２の上に排出される。この排出された用紙は図示のように、その先端がカセット２０端部から（すなわち開口から）若干飛び出すように、記録紙カセット２０に対する記録紙の排出位置が予め設定されている。
【００６２】
記録済用紙の先端が飛び出す構成により、排紙卜レイが装置内に完全に内包されている本実施例の場合であってもファクシミリ受信があったことが、容易に認知できる。また、用紙の取り出しも容易となる。本実施例では記録ヘッド３２が下向きに設置されているので、記録済用紙の記録面は表向きに排出される。ファクシミリ受信した記録済用紙の先端には、通信日時・宛名等の情報が記録されるものもあり、記録紙先端が飛び出していれば、取り出さなくてもその部分が認知できるという利点もある。
【００６３】
図９は、記録紙搬送手段の駆動機構およびインクフィルムカートリッジ３１の駆動機構を示す。
【００６４】
駆動モータ７０の回転は、ギヤ７１〜７４を介してインクカー卜リッジ３１の駆動ギヤ７５に伝達される。他方、ギヤ７３はギヤ７６および７７を介してヘッドローラー６８を回転させる。また、モータ７０の回転は図示しないギヤ群を介して図８の送りローラー６６ヘも伝えられる。
【００６５】
図１０および図１１に、インクフィルムカートリッジ３１の外観を示す。図１０は表側の外観図であり、図１１は裏側の外観図である。
【００６６】
インクフィルムカー卜リッジ３１は、中央に記録ヘッド進入用の開口８３を有するハウジング８０と、このハウジング８０によって互いに平行保持されたシャフト８１，８２と、両シャフトの間で一方から他方へ巻き取られるインクフィルム３３と、シャフト８１，８２の対角側の端部に設けた同一構成のギヤ７９，７５とからなる。インクフィルム３３は、最大サイズの記録紙の幅に対応した幅を有する。通常、熱転写記録用のインクフィルムは単一回の記録でインクがフィルムから抜けてしまい複数回の使用はできないが、インクフィルムおよびサーマルヘッドの加熱制御の改良により複数回の使用が可能である。本インクフィルムカートリッジ３１は、このような複数回の使用を前提としている。すなわち、本カートリッジ３１では、一度、一方のシャフトから他方へ巻き取ったフィルムを、次回には逆向きに巻き取る。そこで、本実施例のカートリッジ３１は後述する駆動機構との関係もあり、図示のように軸８４を中心に回転対称の構造をしている。また、図１２に示すように、インクフィルム３３には終端の識別子としての白帯を対角の位置に２箇所設けている。なお、白帯の検知手段は公知であり、図示省略してある。
【００６７】
図１３はインクフィルムカー卜リッジ３１が駆動機構に装着される様子を駆動側から示したものであり、図１４はその様子を被駆動側から示したものである。
【００６８】
図１３に示すように、この例では、ギヤ７５の付いた側が巻取り側となる。ギヤ７５は、トルクコンバータ付き歯車７３によりギヤ７４を介して駆動される。歯車７３ヘは、図８で先に説明したように、モータ７０の回転力が伝達される。一方、図１４に示すように、卜ルクコンバータ付き歯車７３の対角の位置には、ギヤ８８およびバックテンション付き歯車８９を設けている。すなわち、被駆動側のギヤ７９はギヤ８８を介してバックテンション付き歯車８９に歯合する。よって、インクフィルム３３には適度の張力が与えられる。フィルム３３が一杯に巻き取られたら、カートリッジ３１を１８０°回転させ、今度は逆向きにフィルム３３を巻き取っていく。
【００６９】
このように、フィルム駆動機構のギア７３および８９を対角側に配し、かつ、インクフィルムカートリッジ３１を回転対象の構造とすることにより、複数回使用のために駆動機構およびカートリッジの構造が複雑化することを回避できる。もし、カートリッジ３１のギア７５および７９がシャフトの同じ側に付設されていれば、１８０°回転させて使用するためには、駆動機構が２組必要となる。逆に駆動機構を同じ側にのみ設けるとすれば、カートリッジ３１のシャフトにはすべての端部に４個のギアが必要となる。しかし、本発明では、駆動機構は１組でもよく、シャフトのギアの個数も２個で済んでいる。
【００７０】
次に、図１５に、本発明によるファクシミリ装置の第２の実施例の外観を示す。本実施例において、第１の実施例と同一の要素には同一の参照番号を付してある。
【００７１】
本実施例は、第１の実施例の機能に、更に原稿の自動給紙機能を付加したものである。自動給紙のための機構は、主として、原稿カバー９０に設ける。すなわち、図示のとおり、原稿カバー本体１０２の表面に原稿載置面９１および１対の原稿ガイド９２を設け、原稿カバー９０の一端に原稿給紙部９４を設けている。１対のガイド９２は周知の機構により原縞サイズに合わせて幅を変更可能に連動するようになっている。本実施例では、原稿載置面９１は平坦であるが、残りの表面部分は第1の実施例と同様に湾曲している。また、原稿カバー９０を開けば、第１の実施例と同様の原稿載置面１９を有し、ブック型原稿の読取りも行なえる。
【００７２】
本実施例で追加した原稿自動給紙機能について、図１６により説明する。
【００７３】
原稿給紙部１４は、原稿カバー９０の原稿載置面９１側のカバー本体１０２との間に原稿が通過する間隙１０３を形成し、この間隙１０３は原稿読取面１９の一端へ導通している。原稿給紙部１４は、互いに独立した２つの前段および後段部分９４ａ,９４ｂからなる。前段部分９４ａは間隙１０３に面するローラー９７を有し、保守のために支点１００を中心として矢印１０４の方向に開くようになっている。後段部分９４ｂは本体上部１２に面するローラー９８を有する。カバー本体１０２には間隙１０３に面するローラー９５および９６を有する。ローラー９５は原稿押え１０１に当接し、開口９３内に挿入された原稿の引き込みを行なう。ローラー９５はローラー９７に当接し原稿を搬送する。搬送された原稿は読取りヘッド２５の上部位置でそのイメージが読み取られる。すなわち、この自動給紙機能を用いて読取りを行なうときには、読取りヘッド２５は初期位置に静止したままであり、移動はしない。本体上部１２の端部にはローラー９９を有し、後段部分９４ｂ内のローラー９８に当接し、読み取られた原稿を装置外部へ排出する働きをする。
【００７４】
本実施例では省スペース化のため原稿排紙トレイはあえて設けていないが、設けることも可能である。
【図面の簡単な説明】
【００７５】
【図１】本発明によるファクシミリ装置の第１の実施例の外観斜視図
【図２】従来のファクシミリ装置の外観斜視図
【図３】原稿カバーを開いた状態の図１装置の外観斜視図
【図４】ブック原稿を載置した図１の装置の外観斜視図
【図５】図１の装置の内部構成を示す正面図
【図６】図１の装置内の記録紙カセットの外観斜視図
【図７】図６の記録紙カセッ卜の要部の側面断面図
【図８】図１の装置の記録紙の給紙から排紙までの経過の説明図
【図９】図１の装置の記録紙搬送手段等の駆動機構の説明図
【図１０】図１の装置に用いるインクフィルムカートリッジの外観図
【図１１】図１の装置に用いるインクフィルムカートリッジの外観図
【図１２】インクフィルムの説明図
【図１３】インクフィルムカートリッジの駆動機構の説明図
【図１４】インクフィルムカートリッジの駆動機構の説明図
【図１５】本発明によるファクシミリ装置の第２実施例の外観斜視図
【図１６】図１５の装置の要部の断面図
【符号の説明】
【００７６】
１１,９０…原稿カバー、１２…本体上部、１３…本体下部、１６…表示部、１
７…スター卜スイッチ、１８…ストップスイッチ、１９…原稿読取面、２０…記録紙カセット、２１…開口、２５…読取りヘッド、３１…インクフィルムカートリッジ、３２…記録ヘッド、９１…原稿載置面、９４…原縞給紙部。
【図１】
2006027280.tif 000003
【図２】
2006027280.tif 000004
【図３】
2006027280.tif 000005
【図４】
2006027280.tif 000006
【図５】
2006027280.tif 000007
【図６】
2006027280.tif 000008
【図７】
2006027280.tif 000009
【図８】
2006027280.tif 000010
【図９】
2006027280.tif 000011
【図１０】
2006027280.tif 000012
【図１１】
2006027280.tif 000013
【図１２】
2006027280.tif 000014
【図１３】
2006027280.tif 000015
【図１４】
2006027280.tif 000016
【図１５】
2006027280.tif 000017
【図１６】
2006027280.tif 000018
【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
カット紙が収納される記録紙カセット本体と、
前記記録紙カセッ本体から前紀カット紙を引き出し、Ｕターン搬送し、記録紙排紙トレイ上に排出するカット紙搬送、排出手段と、
前記搬送カット紙にファクシミリ受信情報を記録する記録手段と、
を備えたファクシミリ装置であって、
前記ファクシミリ装置本体には、前記記録紙カセット本体が収容される収容部と、前記カット紙が排出される空間部と、が設けられ、
前記搬送手段は、ファクシミリ受信のとき、前記記録紙カセット本体からカット紙を引き出すローラ部材と、該ローラ部材により引き出されたカット紙をUターン搬送する搬送部材と、該搬送部材により搬送されたカット紙を前記ファクシミリ装置本体の前記空間部に向かって排出する記録紙排出部と、を備え、
前記記録紙排紙トレイは、前記カセット収容部の上に位置し、前記記録紙排出部から前記空間部に向かって排出されるカット紙を受けて保持する第１の面と、前記記録紙排紙トレイ上に排出されたカット紙の後端部を前記記録紙排出部から遠ざける第２の面と、を有し、前記記録紙排紙トレイの前記第１及び第２の面をもって、前記記録紙排紙トレイ上に排出されたカット紙を保持することが可能な構成とした、
ことを特微とするファクシミリ装置。
【請求項２】
前記記録紙排紙トレイ上に排出されたカット紙の後端部を前記記録紙排出部から遠ざける第２の面が、前記排出カット紙の排紙方向と反対側の前記記録紙排出部への戻りを防止する面である、請求項１記載のファクシミリ装置。
【請求項３】
前記排紙方向と反対方向への戻りを防止する面が、前記記録紙排出部方向に上向きに傾斜した傾斜部である、請求項２記載のファクシミリ装置。
【手続補正２】
【補正対象書類名】明細書
【補正対象項目名】００１２
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明によれば、
カット紙が収納される記録紙カセット本体と、
前記記録紙カセッ本体から前紀カット紙を引き出し、Ｕターン搬送し、記録紙排紙トレイ上に排出するカット紙搬送、排出手段と、
前記搬送カット紙にファクシミリ受信情報を記録する記録手段と、
を備えたファクシミリ装置であって、
前記ファクシミリ装置本体には、前記記録紙カセット本体を収容する収容部と、前記カット紙が排出される空間部と、が設けられ、
前記搬送手段は、ファクシミリ受信のとき、前記記録紙カセット本体からカット紙を引き出すローラ部材と、該ローラ部材にて引き出されたカット紙をUターン搬送する搬送部材と、該搬送部材により搬送されたカット紙を前記ファクシミリ装置本体の空間部に向かって排出する記録紙排出部と、を備え、
前記記録紙排紙トレイは、前記カセット収容部の上に位置し、前記記録紙排出部から前記空間部に向かって排出されるカット紙を受けて保持する第１の面と、前記記録紙排紙トレイ上に排出されたカット紙の後端部を前記記録紙排出部から遠ざける第２の面と、を有し、前記記録紙排紙トレイの前記第１及び第２の面をもって、前記記録紙排紙トレイ上に排出されたカット紙を保持することが可能な構成とした、
ことを特微とするファクシミリ装置が提供される。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】変更
【補正の内容】
【００３６】
本発明のファクシミリ装置によれば、普通紙のカット紙に受信イメージを記録することにより、記録済用紙の保管・取扱い等が便利となる。さらに、装置から外部へ大きく突出するトレイを不要とすることにより省設置スペース化が図れる。